(57)【要約】【課題】ストップスイッチ６０の操作の順序が回転リール４０の停止制御に関与したりしなかったりするスロットマシン１０を提供する。【解決手段】スロットマシン１０は、役の抽選を行う役抽選手段１１０と、役抽選手段１１０の抽選結果と各ストップスイッチ６０が操作されたときの対応する回転リール４０の回転位置と各ストップスイッチ６０の操作の順序とに基づいて各回転リール４０の停止制御を行う第１停止制御手段１３０と、各ストップスイッチ６０の操作の順序には依拠せずに役抽選手段１１０の抽選結果と各ストップスイッチ６０が操作されたときの対応する回転リール４０の回転位置とに基づいて各回転リール４０の停止制御を行う第２停止制御手段１４０と、第１停止制御手段１３０又は第２停止制御手段１４０を所定の条件に基づいて選択する停止制御選択手段１９０と、すべての回転リール４０の回転が停止した際における図柄の停止位置によって入賞か否かの判定を行う入賞判定手段２００とを備える。【選択図】  図１
2004209167.tif 000002
【特許請求の範囲】
【請求項１】
周囲に複数の図柄を表示した複数の回転リールと、各回転リールの回転を開始させるためのスタートスイッチと、各回転リールの回転を停止させるためのものであり且つ各回転リールにそれぞれ対応して設けられているストップスイッチと、スロットマシンを制御するための制御装置とを備え、
前記制御装置は、複数の役のいずれかに当選したか又はハズレかの抽選を行うための役抽選手段と、役抽選手段の抽選結果と各ストップスイッチが操作されたときの対応する回転リールの回転位置と各ストップスイッチの操作の順序とに基づいて各回転リールの停止制御を行うための第１停止制御手段と、役抽選手段の抽選結果と各ストップスイッチが操作されたときの対応する回転リールの回転位置とに基づいて各回転リールの停止制御を行うための第２停止制御手段と、第１停止制御手段により停止制御を行うか又は第２停止制御手段により停止制御を行うかを所定の条件に基づいて選択するための停止制御選択手段と、すべての回転リールの回転が停止した際における図柄の停止位置によって入賞か否かの判定を行うための入賞判定手段とを備えていることを特徴とするスロットマシン。
【請求項２】
前記制御装置は、所定の範囲内で且つ所定の周期でカウント動作を行うためのカウント手段と、カウント手段のカウント値を所定の契機で取得するためのカウント取得手段と、カウント手段がカウント動作を行う範囲内の各カウント値について第１停止制御手段により停止制御を行うか又は第２停止制御手段により停止制御を行うかを定めた停止制御抽選テーブルと、カウント取得手段が取得したカウント値と停止制御抽選テーブルとを照合して第１停止制御手段により停止制御を行うか又は第２停止制御手段により停止制御を行うかの抽選を行うための停止制御抽選手段とを備え、
前記停止制御選択手段は、停止制御抽選手段の抽選結果に基づいて、第１停止制御手段により停止制御を行うか又は第２停止制御手段により停止制御を行うかを選択することを特徴とする請求項１記載のスロットマシン。
【請求項３】
前記カウント取得手段は、メダルの投入操作、スタートスイッチの操作、又はストップスイッチの操作を契機に、カウント手段のカウント値を取得することを特徴とする請求項２記載のスロットマシン。
【請求項４】
前記第１停止制御手段は、役抽選手段の抽選結果がいずれかの役の当選となった場合には、各ストップスイッチが特定の順序で操作されたときにのみ、この当選した役に対応する入賞を引き当て得るように各回転リールの停止制御を行い、
前記第２停止制御手段は、役抽選手段の抽選結果がいずれかの役の当選となった場合には、各ストップスイッチの操作の順序にかかわらず、この当選した役に対応する入賞を引き当て得るように各回転リールの停止制御を行うことを特徴とする請求項１、２又は３記載のスロットマシン。
【請求項５】
前記停止制御抽選テーブルは、第１停止制御手段により停止制御を行う旨の定めとともに、入賞を引き当て得るように停止制御を行うときの特定の順序を定めていることを特徴とする請求項４記載のスロットマシン。
【請求項６】
前記制御装置は、カウント手段のカウント値を表示するためのカウント表示手段を備えていることを特徴とする請求項２、３、４又は５記載のスロットマシン。
【請求項７】
前記制御装置は、カウント手段のカウント値が第２停止制御手段の選択に係る数値になったときにその旨を報知するためのタイミング報知手段を備えていることを特徴とする請求項２、３、４、５又は６記載のスロットマシン。
【発明の詳細な説明】
【０００１】
【発明の属する技術分野】
本発明は、スロットマシンに関し、更に詳しくは、所定の条件によって、ストップスイッチの操作の順序を回転リールの停止制御に関与させたりさせなかったりするスロットマシンに関するものである。
【０００２】
【従来の技術】
従来のスロットマシンは、例えば、以下に示すように動作する。
メダルを投入すると、メダルの投入枚数に応じた本数の入賞ラインが有効になる。また、メダルの投入を条件に、スタートスイッチを操作すると、乱数が抽出され、この乱数に基づいて、役に当選したかハズレかの抽選が行われる。また、この抽選とほぼ同時に、３個すべての回転リールの回転が開始する。その後に、３個のストップスイッチのうちの１個を操作すると、当該ストップスイッチに対応した回転リールの回転が停止する。そして、３個すべてのストップスイッチを操作し終えると、３個すべての回転リールの回転が停止する。このとき、有効な入賞ライン上に所定の図柄が所定の配列で揃うと、入賞となり、入賞態様に応じた枚数のメダルが払い出される。また、メダルの払い出しに代えて、あるいはメダルの払い出しとともに、遊技者に対して所定の利益が付与されることがある。
【０００３】
また、各回転リールの停止制御は、多くのスロットマシンでは、役に当選したかハズレかの抽選の結果と、各ストップスイッチが操作されたときの対応する回転リールの回転位置とに基づいて行われる。
また、最近では、役に当選したかハズレかの抽選の結果と、各ストップスイッチが操作されたときの対応する回転リールの回転位置と、各ストップスイッチが操作された順序とに基づいて、各回転リールの停止制御が行われるスロットマシンも提供されている。
【０００４】
なお、本明細書中、「当選」とは、役の抽選で当たることを意味し、「入賞」とは、すべての回転リールの回転が停止したときに有効な入賞ライン上に所定の図柄が所定の配列で揃うことを意味する。
【０００５】
【特許文献１】
特開２００２−２９１９６４号公報
【特許文献２】
特願２００２−９８１２７号
【０００６】
【発明が解決しようとする課題】
ところで、上述したように、最近では、ストップスイッチの操作の順序を回転リールの停止制御に関与させるスロットマシンも提供されているが、このようなスロットマシンでは、ストップスイッチの操作の順序は、常時、回転リールの停止制御に関与していた。
【０００７】
（請求項１）
そこで、請求項１記載の発明は、所定の条件によって、ストップスイッチの操作の順序を回転リールの停止制御に関与させたりさせなかったりするスロットマシンを提供することを目的とする。
（請求項２）
また、請求項２記載の発明は、請求項１記載の発明の目的に加え、役の抽選とは別の抽選によって、ストップスイッチの操作の順序を回転リールの停止制御に関与させるか否かを選択するスロットマシンを提供することを目的とする。
【０００８】
（請求項３）
また、請求項３記載の発明は、請求項２記載の発明の目的に加え、遊技者が遊技中に行う所定の操作のタイミングによって、ストップスイッチの操作の順序を回転リールの停止制御に関与させるか否かを選択するスロットマシンを提供することを目的とする。
【０００９】
（請求項４）
また、請求項４記載の発明は、請求項１ないし３記載の発明の目的に加え、ストップスイッチの操作の順序を回転リールの停止制御に関与させる場合には、ストップスイッチが特定の順序で操作されたときにのみ、当選した役に対応する入賞を引き当て得るようにするとともに、ストップスイッチの操作の順序を回転リールの停止制御に関与させない場合には、ストップスイッチの操作の順序にかかわらず、当選した役に対応する入賞を引き当て得るようにするスロットマシンを提供することを目的とする。
【００１０】
（請求項５）
また、請求項５記載の発明は、請求項４記載の発明の目的に加え、停止制御の抽選において、入賞を引き当て得るように停止制御を行うときの特定の順序の抽選も同時に行うスロットマシンを提供することを目的とする。
（請求項６）
また、請求項６記載の発明は、請求項２ないし５記載の発明の目的に加え、停止制御の抽選に用いるカウント値を表示するスロットマシンを提供することを目的とする。
【００１１】
（請求項７）
更に、請求項７記載の発明は、請求項２ないし６記載の発明の目的に加え、ストップスイッチの操作の順序を関与させない停止制御が選択されるタイミングとなったときに、その旨を報知するスロットマシンを提供することを目的とする。
【００１２】
【課題を解決するための手段】
（請求項１）
請求項１記載の発明は、スロットマシン（１０）に係るものであって、周囲に複数の図柄を表示した複数の回転リール（４０）と、各回転リール（４０）の回転を開始させるためのスタートスイッチ（５０）と、各回転リール（４０）の回転を停止させるためのものであり且つ各回転リール（４０）にそれぞれ対応して設けられているストップスイッチ（６０）と、スロットマシン（１０）を制御するための制御装置（２０）とを備え、前記制御装置（２０）は、複数の役のいずれかに当選したか又はハズレかの抽選を行うための役抽選手段（１１０）と、役抽選手段（１１０）の抽選結果と各ストップスイッチ（６０）が操作されたときの対応する回転リール（４０）の回転位置と各ストップスイッチ（６０）の操作の順序とに基づいて各回転リール（４０）の停止制御を行うための第１停止制御手段（１３０）と、役抽選手段（１１０）の抽選結果と各ストップスイッチ（６０）が操作されたときの対応する回転リール（４０）の回転位置とに基づいて各回転リール（４０）の停止制御を行うための第２停止制御手段（１４０）と、第１停止制御手段（１３０）により停止制御を行うか又は第２停止制御手段（１４０）により停止制御を行うかを所定の条件に基づいて選択するための停止制御選択手段（１９０）と、すべての回転リール（４０）の回転が停止した際における図柄の停止位置によって入賞か否かの判定を行うための入賞判定手段（２００）とを備えていることを特徴とする。
【００１３】
ここで、「第１停止制御手段（１３０）」は、役抽選手段（１１０）の抽選結果と、各ストップスイッチ（６０）が操作されたときの対応する回転リール（４０）の回転位置と、各ストップスイッチ（６０）の操作の順序とに基づいて、各回転リール（４０）の停止制御を行うためのものである。
すなわち、この第１停止制御手段（１３０）は、役抽選手段（１１０）の抽選結果と、各ストップスイッチ（６０）が操作されたときの対応する回転リール（４０）の回転位置と、各ストップスイッチ（６０）の操作の順序との３つの要素を、各回転リール（４０）の停止制御に関与させる。このため、例えば、役抽選手段（１１０）の抽選結果が同一であり、かつ、各ストップスイッチ（６０）が操作されたときの対応する回転リール（４０）の回転位置がそれぞれ同一であっても、各ストップスイッチ（６０）の操作の順序が異なれば、各回転リール（４０）の停止制御が異なる。具体的には、例えば、役抽選手段（１１０）の抽選結果が同一であり、かつ、各ストップスイッチ（６０）が操作されたときの対応する回転リール（４０）の回転位置がそれぞれ同一であっても、ストップスイッチ（６０）の操作の順序が「左→中→右」の場合と、「左→右→中」の場合とでは、各回転リール（４０）の停止制御が異なる。その結果、すべての回転リール（４０）の回転が停止した際における図柄の配列パターンが異なり、入賞か否かの判定結果にも大きな影響を及ぼすのである。
【００１４】
また、「第２停止制御手段（１４０）」は、役抽選手段（１１０）の抽選結果と、各ストップスイッチ（６０）が操作されたときの対応する回転リール（４０）の回転位置とに基づいて、各回転リール（４０）の停止制御を行うためのものである。
すなわち、この第２停止制御手段（１４０）は、役抽選手段（１１０）の抽選結果と、各ストップスイッチ（６０）が操作されたときの対応する回転リール（４０）の回転位置との２つの要素を、各回転リール（４０）の停止制御に関与させる。
【００１５】
また、この第２停止制御手段（１４０）は、各ストップスイッチ（６０）の操作の順序については、各回転リール（４０）の停止制御に関与させないようにすることができる。そうすると、役抽選手段（１１０）の抽選結果が同一であり、かつ、各ストップスイッチ（６０）が操作されたときの対応する回転リール（４０）の回転位置がそれぞれ同一であれば、各ストップスイッチ（６０）の操作の順序が異なっても、各回転リール（４０）の停止制御は同じように行われる。具体的には、例えば、役抽選手段（１１０）の抽選結果が同一であり、かつ、各ストップスイッチ（６０）が操作されたときの対応する回転リール（４０）の回転位置がそれぞれ同一であれば、ストップスイッチ（６０）の操作の順序が「左→中→右」でも、「左→右→中」でも、各回転リール（４０）の停止制御は同じように行われる。その結果、すべての回転リール（４０）の回転が停止した際における図柄の配列パターンは同一となり、入賞か否かの判定結果も同一となる。
【００１６】
また、この第２停止制御手段（１４０）は、役抽選手段（１１０）の抽選結果と、各ストップスイッチ（６０）が操作されたときの対応する回転リール（４０）の回転位置との２つの要素に加えて、例えば、役の抽選とは別の抽選の結果や、あるいは最初に操作されたのが左側のストップスイッチ（６０）か否かなどの「他の要素」を、各回転リール（４０）の停止制御に関与させることもできる。
【００１７】
また、「停止制御選択手段（１９０）」は、第１停止制御手段（１３０）により停止制御を行うか、又は第２停止制御手段（１４０）により停止制御を行うかを、所定の条件に基づいて選択するためのものである。
すなわち、この停止制御選択手段（１９０）が第１停止制御手段（１３０）を選択すると、第１停止制御手段（１３０）によって各回転リール（４０）の停止制御が行われ、一方、この停止制御選択手段（１９０）が第２停止制御手段（１４０）を選択すると、第２停止制御手段（１４０）によって各回転リール（４０）の停止制御が行われる。
【００１８】
また、停止制御の選択の基礎となる「所定の条件」は、例えば、遊技時間としてもよく、また、遊技回数としてもよく、また、遊技状態としてもよく、また、抽選としてもよい。すなわち、遊技時間に基づいて停止制御を選択してもよく、また、遊技回数に基づいて停止制御を選択してもよく、また、遊技状態に基づいて停止制御を選択してもよく、また、抽選に基づいて停止制御を選択してもよい。
【００１９】
また、第１停止制御手段（１３０）、第２停止制御手段（１４０）及び停止制御選択手段（１９０）は、例えば、スロットマシン（１０）の制御装置（２０）を構成するコンピュータに所定のプログラムを実行させることによって形成することができる。
本発明によれば、所定の条件によって、ストップスイッチ（６０）の操作の順序が回転リール（４０）の停止制御に関与したりしなかったりする。このため、ストップスイッチ（６０）の操作の順序によって回転リール（４０）の停止制御が異なるときと、ストップスイッチ（６０）の操作の順序が異なっても回転リール（４０）の停止制御が同じように行われるときとが混在することとなり、これにより、今までにない新たな遊技性を遊技者に提供できる。したがって、遊技者の興趣を高めることができるのである。
【００２０】
（請求項２）
請求項２記載の発明は、請求項１記載のスロットマシン（１０）を限定したものであって、前記制御装置（２０）は、所定の範囲内で且つ所定の周期でカウント動作を行うためのカウント手段（１５０）と、カウント手段（１５０）のカウント値を所定の契機で取得するためのカウント取得手段（１６０）と、カウント手段（１５０）がカウント動作を行う範囲内の各カウント値について第１停止制御手段（１３０）により停止制御を行うか又は第２停止制御手段（１４０）により停止制御を行うかを定めた停止制御抽選テーブル（１７０）と、カウント取得手段（１６０）が取得したカウント値と停止制御抽選テーブル（１７０）とを照合して第１停止制御手段（１３０）により停止制御を行うか又は第２停止制御手段（１４０）により停止制御を行うかの抽選を行うための停止制御抽選手段（１８０）とを備え、前記停止制御選択手段（１９０）は、停止制御抽選手段（１８０）の抽選結果に基づいて、第１停止制御手段（１３０）により停止制御を行うか又は第２停止制御手段（１４０）により停止制御を行うかを選択することを特徴とする。
【００２１】
すなわち、本発明は、停止制御の選択の基礎となる「所定の条件」を、役の抽選とは別の抽選としたものである。
ここで、「カウント手段（１５０）」は、所定の範囲内で、且つ、所定の周期で、カウント動作を行うためのものである。
また、「所定の範囲」は、例えば、「０〜６」とすることができる。すなわち、「０→１→２→３→４→５→６」のカウント動作を繰り返すようにすることができる。また、「所定の範囲」は、例えば、「０〜１５」の範囲内としてもよく、また、「０〜２５５」の範囲内としてもよい。
【００２２】
また、「所定の周期」は、例えば、「１秒」とすることができる。すなわち、１秒間で「０→１→２→３→４→５→６」のカウント動作を行うようにすることができる。また、１秒間で「０〜１５」のカウント動作を行うようにしてもよく、また、１秒間で「０〜２５５」のカウント動作を行うようにしてもよい。また、「所定の周期」は、例えば、「２秒」としてもよく、また、「１０秒」としてもよい。
【００２３】
また、「カウント取得手段（１６０）」は、カウント手段（１５０）のカウント値を所定の契機で取得するためのものである。
また、「所定の契機」は、例えば、スタートスイッチ（５０）の操作とすることができる。すなわち、スタートスイッチ（５０）の操作を契機に、カウント手段（１５０）のカウント値を取得するようにすることができる。また、「所定の契機」は、例えば、メダルの投入操作としてもよく、また、ストップスイッチ（６０）の操作としてもよい。また、「所定の契機」は、例えば、カウント取得用のスイッチの操作としてもよい。すなわち、スタートスイッチ（５０）などとは別にカウント取得用のスイッチを設けて、このスイッチの操作を契機に、カウント手段（１５０）のカウント値を取得するようにしてもよい。
【００２４】
また、「停止制御抽選テーブル（１７０）」は、カウント手段（１５０）がカウント動作を行う範囲内の各カウント値について、第１停止制御手段（１３０）により停止制御を行うか、又は第２停止制御手段（１４０）により停止制御を行うかを定めたものである。
例えば、カウント手段（１５０）が「０〜６」の範囲内でカウント動作を行う場合にあっては、停止制御抽選テーブル（１７０）は、以下に示すように定めることができる。例えば、カウント値「０」に対応して第２停止制御手段（１４０）により停止制御を行う旨を定めるとともに、カウント値「１〜６」のそれぞれに対応して第１停止制御手段（１３０）により停止制御を行う旨を定めることができる。また、例えば、カウント値「０、２、４、６」のそれぞれに対応して第１停止制御手段（１３０）により停止制御を行う旨を定めるとともに、カウント値「１、３、５」のそれぞれに対応して第２停止制御手段（１４０）により停止制御を行う旨を定めることもできる。
【００２５】
また、「停止制御抽選手段（１８０）」は、カウント取得手段（１６０）が取得したカウント値と停止制御抽選テーブル（１７０）とを照合して、第１停止制御手段（１３０）により停止制御を行うか、又は第２停止制御手段（１４０）により停止制御を行うかの抽選を行うためのものである。
また、本発明では、「停止制御選択手段（１９０）」は、停止制御抽選手段（１８０）の抽選結果に基づいて、第１停止制御手段（１３０）により停止制御を行うか、又は第２停止制御手段（１４０）により停止制御を行うかを選択する。
【００２６】
本発明によれば、役の抽選とは別の抽選によって、ストップスイッチ（６０）の操作の順序を回転リール（４０）の停止制御に関与させるか否かの選択が行われる。したがって、遊技が単調にならないのである。
（請求項３）
請求項３記載の発明は、請求項２記載のスロットマシン（１０）を限定したものであって、前記カウント取得手段（１６０）は、メダルの投入操作、スタートスイッチ（５０）の操作、又はストップスイッチ（６０）の操作を契機に、カウント手段（１５０）のカウント値を取得することを特徴とする。
【００２７】
すなわち、本発明は、遊技者が遊技中に行う所定の操作を、カウント値取得の契機としたものである。
例えば、スタートスイッチ（５０）の操作を契機に、カウント取得手段（１６０）がカウント手段（１５０）のカウント値を取得するようにする。そうすると、遊技者がスタートスイッチ（５０）を操作するタイミングによって、ストップスイッチ（６０）の操作の順序が回転リール（４０）の停止制御に関与したりしなかったりすることとなる。
【００２８】
またここで、「メダルの投入操作」には、投入口からのメダルの投入と、ベットスイッチ（７４）の操作によるメダルの投入との双方を含むことができるし、また、これら２つのうちのいずれか一方のみとすることもできる。
本発明によれば、遊技者が遊技中に行う所定の操作のタイミングによって、ストップスイッチ（６０）の操作の順序を回転リール（４０）の停止制御に関与させるか否かの選択が行われる。したがって、遊技者の興趣を高めることができるのである。
【００２９】
（請求項４）
請求項４記載の発明は、請求項１ないし３記載のスロットマシン（１０）を限定したものであって、前記第１停止制御手段（１３０）は、役抽選手段（１１０）の抽選結果がいずれかの役の当選となった場合には、各ストップスイッチ（６０）が特定の順序で操作されたときにのみ、この当選した役に対応する入賞を引き当て得るように各回転リール（４０）の停止制御を行い、前記第２停止制御手段（１４０）は、役抽選手段（１１０）の抽選結果がいずれかの役の当選となった場合には、各ストップスイッチ（６０）の操作の順序にかかわらず、この当選した役に対応する入賞を引き当て得るように各回転リール（４０）の停止制御を行うことを特徴とする。
【００３０】
すなわち、本発明は、ストップスイッチ（６０）の操作の順序が回転リール（４０）の停止制御に関与する場合には、ストップスイッチ（６０）を特定の順序で操作しないと、当選した役に対応する入賞を引き当てることができないが、ストップスイッチ（６０）の操作の順序が回転リール（４０）の停止制御に関与しない場合には、ストップスイッチ（６０）の操作の順序にかかわらず、当選した役に対応する入賞を引き当て得るようにしたものである。
【００３１】
例えば、ストップスイッチ（６０）の操作の順序が回転リール（４０）の停止制御に関与する場合には、ストップスイッチ（６０）を「右→中→左」の順序で操作したときにのみ、当選した役に対応する入賞を引き当てることができるようにし、それ以外の順序で操作したときには、当選した役に対応する入賞を引き当てることができないようにすることができる。一方、ストップスイッチ（６０）の操作の順序が回転リール（４０）の停止制御に関与しない場合には、ストップスイッチ（６０）を「左→中→右」の順序で操作しても、「右→中→左」の順序で操作しても、「中→左→右」の順序で操作しても、当選した役に対応する入賞を引き当てることができるようにすることができる。
【００３２】
本発明によれば、ストップスイッチ（６０）の操作の順序が回転リール（４０）の停止制御に関与する場合には、ストップスイッチ（６０）を特定の順序で操作したときにしか、当選した役に対応する入賞を引き当てることができないが、ストップスイッチ（６０）の操作の順序が回転リール（４０）の停止制御に関与しない場合には、どのような順序でストップスイッチ（６０）を操作しても、当選した役に対応する入賞を引き当て得ることとなる。したがって、遊技が単調にならないのである。
【００３３】
（請求項５）
請求項５記載の発明は、請求項４記載のスロットマシン（１０）を限定したものであって、前記停止制御抽選テーブル（１７０）は、第１停止制御手段（１３０）により停止制御を行う旨の定めとともに、入賞を引き当て得るように停止制御を行うときの特定の順序を定めていることを特徴とする。
【００３４】
すなわち、本発明は、停止制御の抽選において、入賞を引き当て得るように停止制御を行うときの「特定の順序」の抽選も同時に行うようにしたものである。例えば、カウント手段（１５０）が「０〜６」の範囲内でカウント動作を行う場合にあっては、停止制御抽選テーブル（１７０）は、以下に示すように定めることができる。まず、カウント値「０」に対応して、第２停止制御手段（１４０）により停止制御を行う旨を定めることができる。また、カウント値「１」に対応して、第１停止制御手段（１３０）により停止制御を行う旨を定めるとともに、特定の順序を「左→中→右」と定めることができる。また、カウント値「２」に対応して、第１停止制御手段（１３０）により停止制御を行う旨を定めるとともに、特定の順序を「左→右→中」と定めることができる。また、カウント値「３」に対応して、第１停止制御手段（１３０）により停止制御を行う旨を定めるとともに、特定の順序を「中→左→右」と定めることができる。また、カウント値「４」に対応して、第１停止制御手段（１３０）により停止制御を行う旨を定めるとともに、特定の順序を「中→右→左」と定めることができる。また、カウント値「５」に対応して、第１停止制御手段（１３０）により停止制御を行う旨を定めるとともに、特定の順序を「右→左→中」と定めることができる。また、カウント値「６」に対応して、第１停止制御手段（１３０）により停止制御を行う旨を定めるとともに、特定の順序を「右→中→左」と定めることができる。
【００３５】
本発明によれば、停止制御の抽選において、入賞を引き当て得るように停止制御を行うときの「特定の順序」の抽選も同時に行われる。したがって、遊技が単調にならないのである。
（請求項６）
請求項６記載の発明は、請求項２ないし５記載のスロットマシン（１０）を限定したものであって、前記制御装置（２０）は、カウント手段（１５０）のカウント値を表示するためのカウント表示手段（２１０）を備えていることを特徴とする。
【００３６】
すなわち、本発明は、停止制御の抽選に用いる「カウント値」を遊技者に知らせるようにしたものである。
ここで、「カウント表示手段（２１０）」は、カウント手段（１５０）のカウント値を表示するためのものである。
また、「表示」は、例えば、液晶ディスプレイ（７９）に行ってもよく、また、７セグメントＬＥＤに行ってもよい。
【００３７】
例えば、カウント手段（１５０）は、「０〜６」の範囲内で且つ「１秒」周期でカウント動作を行い、また、カウント表示手段（２１０）は、カウント手段（１５０）のカウント値を、液晶ディスプレイ（７９）に表示するようにする。そうすると、液晶ディスプレイ（７９）には、「０〜６」の数値が１秒周期で繰り返し表示されることから、遊技者は、液晶ディスプレイ（７９）に表示される数値を見ながら遊技操作を重ねるうちに、自分の好みの停止制御が選択されるタイミングを推し量ることができるようになる。したがって、遊技者の技術介入性を高めることができるので、遊技者の興趣を高めることができるのである。
【００３８】
（請求項７）
請求項７記載の発明は、請求項２ないし６記載のスロットマシン（１０）を限定したものであって、前記制御装置（２０）は、カウント手段（１５０）のカウント値が第２停止制御手段（１４０）の選択に係る数値になったときにその旨を報知するためのタイミング報知手段（２２０）を備えていることを特徴とする。
【００３９】
すなわち、本発明は、ストップスイッチ（６０）の操作の順序を関与させない停止制御が選択されるタイミングとなったときに、その旨を遊技者に知らせるようにしたものである。
ここで、「タイミング報知手段（２２０）」は、カウント手段（１５０）のカウント値が第２停止制御手段（１４０）の選択に係る数値になったときに、その旨を報知するためのものである。
【００４０】
また、「報知」は、例えば、液晶ディスプレイ（７９）に特定の表示をすることにより行ってもよく、また、ＬＥＤランプを点灯させることにより行ってもよく、また、スピーカ（７８）から所定の効果音を鳴らすことにより行ってもよい。また、液晶ディスプレイ（７９）への特定の表示としては、例えば、数値の表示色を変更したり、あるいは数値の背景色を変更することができる。
【００４１】
例えば、カウント手段（１５０）は、「０〜６」の範囲内で且つ「１秒」周期でカウント動作を行い、また、停止制御抽選テーブル（１７０）は、カウント値「０」に対応して第２停止制御手段（１４０）により停止制御を行う旨を定めるとともに、カウント値「１〜６」のそれぞれに対応して第１停止制御選択手段（１３０）により停止制御を行う旨を定め、また、タイミング報知手段（２２０）は、カウント値「１〜６」を「緑色」で表示するのに対し、カウント値「０」を「赤色」で表示することにより、カウント値が第２停止制御手段（１４０）の選択に係る数値になった旨を報知するようにする。そうすると、遊技者は、ストップスイッチ（６０）の操作の順序が関与しない停止制御が選択されるタイミングを知ることができると同時に、ストップスイッチ（６０）の操作の順序が関与する停止制御が選択されるタイミングをも知ることができるので、自分の好みの停止制御を選択することが可能となる。したがって、停止制御の選択に遊技者の技術を介入させることができるので、遊技者の興趣を高めることができるのである。
【００４２】
【発明の実施の形態】
（図面の説明）
図１ないし図５は、本発明の実施の形態を示すものである。
図１は、スロットマシン１０のブロック図、図２は、スロットマシン１０の外観正面図、図３は、停止制御抽選テーブル１７０を示す概念図、図４は、スロットマシン１０の動作を示すフローチャート図、図５は、停止制御の抽選の動作を示すフローチャート図である。
【００４３】
（スロットマシン１０）
スロットマシン１０は、図２に示すように、前面に開口部を有する箱型の筐体７０を備え、また、筐体７０の前面には、開口部を塞ぐ前扉７１を備え、また、筐体７０の内部には、３個の回転リール４０を横並びに設けたリールユニット３０を備え、また、前扉７１のほぼ中央には、３個の回転リール４０を見るための図柄表示窓７２を備えている。
【００４４】
また、図柄表示窓７２は、３個すべての回転リール４０の回転が停止した際に、縦３列横３行に配列した合計９個の図柄を表示可能に形成されている。
具体的には、左側の回転リール４０の回転が停止すると、図柄表示窓７２の左側部分の上段、中段及び下段にそれぞれ１個ずつ、合計３個の図柄が表示される。中央及び右側の回転リール４０についても同様である。これにより、３個すべての回転リール４０の回転が停止すると、図柄表示窓７２には、縦３列横３行に配列した合計９個の図柄が表示される。また、図柄表示窓７２に表示される縦３列横３行の図柄の配列パターンは、「出目」などと呼ばれる。
【００４５】
また、図柄表示窓７２の下方には、クレジットメダルを投入するためのベットスイッチ７４や、クレジットメダルを払い出すための精算スイッチ７５や、回転リール４０の回転を開始させるためのスタートスイッチ５０や、回転リール４０の回転を停止させるためのストップスイッチ６０などが設けられている。
また、図柄表示窓７２の右方には、液晶ディスプレイ７９が設けられ、また、図柄表示窓７２の上方には、演出用ランプ７７が設けられている。
【００４６】
また、前扉７１の下部には、払出口８０が設けられ、また、払出口８０の下方には、受け皿９０が設けられている。
また、筐体７０の内部には、スロットマシン１０を制御するための制御装置２０が備えられている。
（制御装置２０）
制御装置２０は、スロットマシン１０を制御するためのものである。
【００４７】
この制御装置２０は、ＣＰＵ、ＲＡＭ、ＲＯＭ、及びＩ／Ｏなどを備えている。
また、この制御装置２０の入力手段としては、図１に示すように、投入スイッチ７３、ベットスイッチ７４、精算スイッチ７５、スタートスイッチ５０、及びストップスイッチ６０などが接続されている。
また、この制御装置２０の出力手段としては、図１に示すように、リールユニット３０、ホッパーユニット７６、演出用ランプ７７、スピーカ７８、及び液晶ディスプレイ７９などが接続されている。
【００４８】
そして、この制御装置２０は、ＣＰＵがＲＯＭに記憶された所定のプログラムを実行することにより、遊技制御手段１００、役抽選手段１１０、第１停止制御手段１３０、第２停止制御手段１４０、カウント手段１５０、カウント取得手段１６０、停止制御抽選手段１８０、停止制御選択手段１９０、入賞判定手段２００、カウント表示手段２１０、及びタイミング報知手段２２０などとして機能する。
【００４９】
（投入スイッチ７３）
投入スイッチ７３は、投入口から投入されたメダルを検知するためのものであって、筐体７０の内部に設けられている。
（ベットスイッチ７４）
ベットスイッチ７４は、クレジットされているメダルの枚数を減じてメダルの投入に代えるためのものであって、図２に示すように、図柄表示窓７２の左斜め下方に設けられている。
【００５０】
（精算スイッチ７５）
精算スイッチ７５は、クレジットされているメダルを払い出すためのものであって、図２に示すように、図柄表示窓７２の左斜め下方に設けられている。
（スタートスイッチ５０）
スタートスイッチ５０は、各回転リール４０の回転を開始させるためのものであって、図２に示すように、図柄表示窓７２の左斜め下方に設けられている。そして、このスタートスイッチ５０を操作すると、３個すべての回転リール４０の回転が開始する。
【００５１】
（ストップスイッチ６０）
ストップスイッチ６０は、各回転リール４０の回転を停止させるためのものであって、各回転リール４０にそれぞれ対応して設けられている。
具体的には、図２に示すように、図柄表示窓７２の下方には、３個のストップスイッチ６０が横並びに設けられている。そして、左側のストップスイッチ６０を操作すると、左側の回転リール４０の回転が停止し、中央のストップスイッチ６０を操作すると、中央の回転リール４０の回転が停止し、右側のストップスイッチ６０を操作すると、右側の回転リール４０の回転が停止する。
【００５２】
（リールユニット３０）
リールユニット３０は、フレームと、このフレームに横並びに固定した３個のステッピングモータと、各ステッピングモータの出力軸に固定した３個の回転リール４０とを備えている。
また、各回転リール４０の周囲には、「７」「ＢＡＲ」「ベル」「スイカ」「チェリー」「Ｒｅｐｌａｙ」などの複数種類の図柄が、所定の配列で、合計２１個表示されている。
【００５３】
また、各図柄には、００番から２０番までのコマ番号が順に付されている。
（ホッパーユニット７６）
ホッパーユニット７６は、遊技の結果に基づいて、遊技者にメダルを払い出すためのものであって、筐体７０の内部に設けられている。
（演出用ランプ７７）
演出用ランプ７７は、遊技者に当選又は入賞などを知らせるためのものであって、図２に示すように、図柄表示窓７２の上方に設けられている。
【００５４】
（スピーカ７８）
スピーカ７８は、遊技者に当選又は入賞などを知らせるためのものであって、図２に示すように、スロットマシン１０の前面下部に設けられている。
（液晶ディスプレイ７９）
液晶ディスプレイ７９は、遊技者に当選又は入賞などを知らせるためのものであって、図２に示すように、図柄表示窓７２の右方に設けられている。
【００５５】
（払出口８０）
払出口８０は、メダルを払い出すためのものであって、前面パネル７１の下部に設けられている。
（受け皿９０）
受け皿９０は、払出口８０から払い出されたメダルを受け止めて貯留するためのものであって、払出口８０の下方に設けられている。
【００５６】
（遊技制御手段１００）
遊技制御手段１００は、遊技を制御するためのものである。
ここで、スロットマシン１０での遊技について説明する。
メダルを投入すると、メダルの投入枚数に応じた本数の入賞ラインが有効になる。また、メダルの投入には、投入口からのメダルの投入と、ベットスイッチ７４の操作によるクレジットメダルの投入とがある。また、メダルの投入を条件に、スタートスイッチ５０を操作すると、複数の役のいずれかに当選したか又はハズレかの抽選が行われる。また、この抽選とほぼ同時に、３個すべての回転リール４０の回転が開始する。その後に、３個のストップスイッチ６０のうちの１個を操作すると、当該ストップスイッチ６０に対応した回転リール４０の回転が停止する。そして、３個すべてのストップスイッチ６０の操作を終えると、３個すべての回転リール４０の回転が停止する。このとき、有効な入賞ライン上に所定の図柄が所定の配列で揃うと、入賞となり、入賞態様に応じた枚数のメダルが払い出される。また、メダルの払い出しには、払出口８０からのメダルの払い出しと、クレジットによるメダルの払い出しとがある。また、メダルの払い出しに代えて、あるいはメダルの払い出しとともに、遊技者に対して所定の利益が付与されることもある。
【００５７】
また、抽選結果には、特定導入遊技当選（ビッグボーナス当選／ＢＢ当選）と、特定遊技当選（レギュラーボーナス当選／ＲＢ当選）と、第１小役当選（ベル当選）と、第２小役当選（スイカ当選）と、第３小役当選（チェリー当選）と、再遊技当選（Ｒｅｐｌａｙ当選）と、ハズレとがある。
また、入賞には、特定導入遊技（ビッグボーナスゲーム／ＢＢゲーム）への移行に係る特定導入遊技入賞（ビッグボーナス入賞／ＢＢ入賞）と、特定遊技（レギュラーボーナスゲーム／ＲＢゲーム）への移行に係る特定遊技入賞（レギュラーボーナス入賞／ＲＢ入賞）と、所定枚数（例えば１２枚）のメダルの払い出しに係る第１小役入賞（ベル入賞）と、この第１小役入賞よりも少ない枚数（例えば８枚）のメダルの払い出しに係る第２小役入賞（スイカ入賞）と、この第２小役入賞よりも少ない枚数（例えば２枚又は４枚）のメダルの払い出しに係る第３小役入賞（チェリー入賞）と、再遊技（Ｒｅｐｌａｙ）の実行に係る再遊技入賞（Ｒｅｐｌａｙ入賞）とがある。
【００５８】
なお、ＲＢゲームとは、特定入賞遊技（ＪＡＣゲーム）を複数回行い得ることにより、一般遊技よりも入賞確率が高い遊技をいい、また、ＢＢゲームとは、ＲＢゲームの導入確率が高い遊技をいう。
そして、例えば、「７」の図柄が有効な入賞ライン上に３個揃うと、ＢＢ入賞となり、払い出しがある場合にはメダルが払い出され、ＢＢゲームが実行される。
【００５９】
また、例えば、「ベル」の図柄が有効な入賞ライン上に３個揃うと、第１小役入賞（ベル入賞）となり、１２枚のメダルが払い出される。
また、例えば、「スイカ」の図柄が有効な入賞ライン上に３個揃うと、第２小役入賞（スイカ入賞）となり、８枚のメダルが払い出される。
また、例えば、左側の回転リール４０に表示されている「チェリー」の図柄が有効な入賞ライン上に停止すると、中央及び右側の回転リール４０に表示されている図柄の停止位置にかかわらず、第３小役入賞（チェリー入賞）となり、２枚のメダルが払い出される。なお、メダルの投入枚数が３枚であり、かつ、「チェリー」の図柄の停止位置が図柄表示窓７２の上段又は下段であれば、４枚のメダルが払い出される。
【００６０】
また、例えば、「Ｒｅｐｌａｙ」の図柄が有効な入賞ライン上に３個揃うと、Ｒｅｐｌａｙ入賞となり、新たなメダルを投入することなく、前回の遊技と同じ条件で再度遊技を行うことができる。
（役抽選手段１１０）
役抽選手段１１０は、複数の役のいずれかに当選したか又はハズレかの抽選を行うためのものである。
【００６１】
この役抽選手段１１０は、図示しないが、乱数発生手段と、乱数抽出手段と、役抽選テーブルと、役抽選判定手段とを備えている。
また、乱数発生手段は、役抽選用の乱数を、所定の範囲内（例えば、１０進数で０〜１６３８３）で発生させるためのものである。
また、乱数発生手段は、例えば、発振回路と、この発振回路が発生させたクロック信号をカウントするカウンタ回路とによって構成することができる（いわゆるハード乱数）。
【００６２】
また、乱数発生手段は、例えば、平均採中法で乱数を発生させる手段や、あるいは素数の加算によって乱数を発生させる手段によって構成することもできる。また、これらの手段は、例えば、ＣＰＵに所定のプログラムを実行させることによって構成することができる（いわゆるソフト乱数）。
また、乱数抽出手段は、乱数発生手段が発生させた乱数を、所定の契機で抽出するためのものである。
【００６３】
この乱数抽出手段は、スタートスイッチ５０の操作に基づいて、乱数発生手段から乱数を抽出する。
なお、乱数発生手段は、カウンタ回路などによって構成されるため、乱数発生手段が発生させる数値は、厳密には乱数ではない。ただ、スタートスイッチ５０が操作されるタイミングは、ランダムであると考えられるため、乱数抽出手段が抽出する数値は、実質的には乱数として取り扱うことができる。
【００６４】
また、役抽選テーブルは、乱数発生手段が発生させる範囲内の各乱数について、複数の役のいずれかに当選させるか、又はハズレにするかをあらかじめ定めたものである。
この役抽選テーブルは、乱数発生手段が発生させる範囲内の各乱数について、ＢＢ当選にするか、ＲＢ当選にするか、第１小役当選にするか、第２小役当選にするか、第３小役当選にするか、Ｒｅｐｌａｙ当選にするか、あるいはハズレにするかを、あらかじめ定めている。
【００６５】
また、役抽選判定手段は、乱数抽出手段が抽出した乱数と、役抽選テーブルとを照合して、抽選結果の判定を行うためのものである。
この役抽選判定手段は、乱数抽出手段が抽出した乱数と、役抽選テーブルとを照合して、ＢＢ当選か、ＲＢ当選か、第１小役当選か、第２小役当選か、第３小役当選か、Ｒｅｐｌａｙ当選か、あるいはハズレかの判定を行う。
【００６６】
（停止テーブル１２０）
停止テーブル１２０は、各回転リール４０の停止位置を決定するためのものであって、各ストップスイッチ６０が操作されたときの対応する回転リール４０の回転位置に応じて、各回転リール４０の滑りコマ数をあらかじめ定めたものである。
また、本実施の形態では、役抽選手段１１０の抽選結果毎に、各回転リール４０の滑りコマ数の定め方が異なる複数の停止テーブル１２０が備えられている。
【００６７】
具体的には、例えば、ＢＢ当選に対応して第１から第３までの３つの停止テーブル１２０が備えられ、また、ＲＢ当選に対応して第４から第６までの３つの停止テーブル１２０が備えられ、また、第１小役当選に対応して第７から第１１までの５つの停止テーブル１２０が備えられ、また、第２小役当選に対応して第１２から第１６までの５つの停止テーブル１２０が備えられ、また、第３小役当選に対応して第１７から第１９までの３つの停止テーブル１２０が備えられ、また、Ｒｅｐｌａｙ当選に対応して第２０から第２４までの５つの停止テーブル１２０が備えられ、また、ハズレに対応して第２５から第３０までの６つの停止テーブル１２０が備えられる。
【００６８】
また、ＢＢ当選に対応した各停止テーブル１２０は、それぞれ滑りコマ数の定め方は異なるものの、いずれも「７」の図柄が有効な入賞ライン上に３個揃い得るように且つ「７」以外の図柄が有効な入賞ライン上に３個揃わないように滑りコマ数を定めている。これにより、当選した役に対応する入賞を引き当て得るようにするとともに、当選した役以外の役に対応する入賞を引き当てることがないようにしている。ＲＢ当選、第１小役当選、第２小役当選、第３小役当選、及びＲｅｐｌａｙ当選に対応した各停止テーブル１２０についても同様である。
【００６９】
また、ハズレに対応した各停止テーブル１２０は、それぞれ滑りコマ数の定め方は異なるものの、いずれも同一の図柄が有効な入賞ライン上に３個揃わないように滑りコマ数を定めている。これにより、いずれの入賞をも引き当てることがないようにしている。
（第１停止制御手段１３０）
第１停止制御手段１３０は、役抽選手段１１０の抽選結果と、各ストップスイッチ６０が操作されたときの対応する回転リール４０の回転位置と、各ストップスイッチ６０の操作の順序とに基づいて、各回転リール４０の停止制御を行うためのものである。
【００７０】
すなわち、この第１停止制御手段１３０は、役抽選手段１１０の抽選結果と、各ストップスイッチ６０が操作されたときの対応する回転リール４０の回転位置と、各ストップスイッチ６０の操作の順序との３つの要素を、各回転リール４０の停止制御に関与させる。このため、役抽選手段１１０の抽選結果が同一であり、かつ、各ストップスイッチ６０が操作されたときの対応する回転リール４０の回転位置がそれぞれ同一であっても、各ストップスイッチ６０の操作の順序が異なれば、各回転リール４０の停止制御が異なる。具体的には、例えば、役抽選手段１１０の抽選結果が同一であり、かつ、各ストップスイッチ６０が操作されたときの対応する回転リール４０の回転位置がそれぞれ同一であっても、ストップスイッチ６０が「左→中→右」の順序で操作された場合と、「左→右→中」の順序で操作された場合とでは、各回転リール４０の停止制御が異なる。その結果、すべての回転リール４０の回転が停止した際における図柄の配列パターンが異なり、入賞か否かの判定結果にも大きな影響を及ぼすのである。
【００７１】
また、この第１停止制御手段１３０は、役抽選手段１１０の抽選結果がいずれかの役の当選となった場合には、各ストップスイッチ６０が「特定の順序」で操作されたときにのみ、この当選した役に対応する入賞を引き当て得るように各回転リール４０の停止制御を行う。
また、この第１停止制御手段１３０が入賞を引き当て得るように停止制御を行うときの「特定の順序」は、後述する停止制御抽選手段１８０による抽選結果として得られる。
【００７２】
具体的には、この第１停止制御手段１３０は、以下に示すようにして、各回転リール４０の回転を停止させる。
まず、役抽選手段１１０の抽選結果と、各ストップスイッチ６０の操作の順序とに基づいて、複数の停止テーブル１２０の中から一の停止テーブル１２０を選択する。また、役抽選手段１１０の抽選結果がいずれかの役の当選となった場合には、各ストップスイッチ６０が「特定の順序」で操作されると、この当選した役に対応する入賞を引き当て得るように滑りコマ数を定めた停止テーブル１２０を選択するが、各ストップスイッチ６０が「特定の順序」で操作されないと、いずれの入賞をも引き当てることができないように滑りコマ数を定めた停止テーブル１２０を選択する。次に、この選択した一の停止テーブル１２０と、各ストップスイッチ６０が操作されたときの対応する回転リール４０の回転位置とから、各回転リール４０の滑りコマ数を決定する。
【００７３】
ここで、滑りコマ数が０と決定されれば、直ちに回転リール４０の回転を停止させる。すなわち、滑りコマ数が０と決定されると、ストップスイッチ６０が操作されたときに図柄表示窓７２の上段に表示されていた図柄は、そのまま図柄表示窓７２の上段に停止表示されることとなる。
また、滑りコマ数が１と決定されれば、１コマ分だけ回転リール４０を回転させ、そこで回転リール４０の回転を停止させる。すなわち、滑りコマ数が１と決定されると、ストップスイッチ６０が操作されたときに図柄表示窓７２の上段に表示されていた図柄は、回転リール４０の回転方向に１コマずれて、図柄表示窓７２の中段に停止表示されることとなる。
【００７４】
また、滑りコマ数が２と決定されれば、２コマ分だけ回転リール４０を回転させ、そこで回転リール４０の回転を停止させる。すなわち、滑りコマ数が２と決定されると、ストップスイッチ６０が操作されたときに図柄表示窓７２の上段に表示されていた図柄は、回転リール４０の回転方向に２コマずれて、図柄表示窓７２の下段に停止表示されることとなる。
【００７５】
なお、上述した回転リール４０の停止制御は、停止テーブル１２０を用いた制御であることから、「テーブル制御」などと呼ばれるものである。
また、回転リール４０の停止制御は、「テーブル制御」に限定されるものではなく、例えば、「プログラム制御」などと呼ばれる制御としてもよい。
プログラム制御では、まず、役抽選手段１００の抽選結果に対応したフラグが設定される。次に、この設定されたフラグと、各ストップスイッチ６０が操作されたときの対応する回転リール４０の回転位置と、各ストップスイッチ６０の操作の順序とに基づいて、各回転リール４０の回転を直ちに停止させるか、１コマ滑らせてから停止させるか、２コマ滑らせてから停止させるか、３コマ滑らせてから停止させるか、あるいは４コマ滑らせてから停止させるかの判断が行われる。そして、直ちに停止させると判断されれば、直ちに回転リール４０の回転が停止する。また、１コマ滑らせてから停止させると判断されれば、１コマ分だけ回転リール４０が回転し、そこで回転リール４０の回転が停止する。また、２コマ滑らせてから停止させると判断されれば、２コマ分だけ回転リール４０が回転し、そこで回転リール４０の回転が停止する。また、３コマ滑らせてから停止させると判断されれば、３コマ分だけ回転リール４０が回転し、そこで回転リール４０の回転が停止する。また、４コマ滑らせてから停止させると判断されれば、４コマ分だけ回転リール４０が回転し、そこで回転リール４０の回転が停止する。
【００７６】
（第２停止制御手段１４０）
第２停止制御手段１４０は、役抽選手段１１０の抽選結果と、各ストップスイッチ６０が操作されたときの対応する回転リール４０の回転位置とに基づいて、各回転リール４０の停止制御を行うためのものである。
すなわち、この第２停止制御手段１４０は、役抽選手段１１０の抽選結果と、各ストップスイッチ６０が操作されたときの対応する回転リール４０の回転位置との２つの要素を、各回転リール４０の停止制御に関与させる。
【００７７】
また、本実施の形態では、この第２停止制御手段１４０は、各ストップスイッチ６０の操作の順序を、各回転リール４０の停止制御に関与させない。
このため、役抽選手段１１０の抽選結果が同一であり、かつ、各ストップスイッチ６０が操作されたときの対応する回転リール４０の回転位置がそれぞれ同一であれば、各ストップスイッチ６０の操作の順序が異なっても、各回転リール４０の停止制御は同じように行われる。具体的には、例えば、役抽選手段１１０の抽選結果が同一であり、かつ、各ストップスイッチ６０が操作されたときの対応する回転リール４０の回転位置がそれぞれ同一であれば、ストップスイッチ６０を「左→中→右」の順序で操作しても、「左→右→中」の順序で操作しても、各回転リール４０の停止制御が同じように行われる。その結果、すべての回転リール４０の回転が停止した際における図柄の配列パターンは同一となり、入賞か否かの判定結果も同一となる。
【００７８】
また、この第２停止制御手段１４０は、役抽選手段１１０の抽選結果がいずれかの役の当選となった場合には、各ストップスイッチ６０の操作の順序にかかわらず、この当選した役に対応する入賞を引き当て得るように各回転リール４０の停止制御を行う。
具体的には、この第２停止制御手段１４０は、以下に示すようにして、各回転リール４０の回転を停止させる。
【００７９】
まず、役抽選手段１１０の抽選結果に基づいて、複数の停止テーブル１２０の中から一の停止テーブル１２０を選択する。また、役抽選手段１１０の抽選結果がいずれかの役の当選となった場合には、各ストップスイッチ６０の操作の順序にかかわらず、この当選した役に対応する入賞を引き当て得るように滑りコマ数を定めた停止テーブル１２０を選択する。次に、この選択した一の停止テーブル１２０と、各ストップスイッチ６０が操作されたときの対応する回転リール４０の回転位置とから、各回転リール４０の滑りコマ数を決定する。また、滑りコマ数を決定した後の制御は、第１停止制御手段１３０と同様である。
【００８０】
なお、第２停止制御手段１４０においても、プログラム制御により、各回転リール４０の停止制御を行うことができる。
すなわち、役抽選手段１１０の抽選結果に対応したフラグを設定し、次に、この設定したフラグと、各ストップスイッチが操作されたときの対応する回転リール４０の回転位置とに基づいて、各回転リール４０の回転を直ちに停止させるか、１コマ滑らせてから停止させるか、２コマ滑らせてから停止させるか、３コマ滑らせてから停止させるか、あるいは４コマ滑らせてから停止させるかの判断を行うことができる。
【００８１】
（カウント手段１５０）
カウント手段１５０は、所定の範囲内で、かつ、所定の周期で、カウント動作を行うためのものである。
このカウント手段１５０は、「０〜６」の範囲内で、かつ、「１秒」周期で、カウント動作を行う。
【００８２】
すなわち、このカウント手段１５０は、「０→１→２→３→４→５→６」のカウント動作を１秒周期で繰り返すのである。
（カウント取得手段１６０）
カウント取得手段１６０は、カウント手段１５０のカウント値を所定の契機で取得するためのものである。
【００８３】
このカウント取得手段１６０は、スタートスイッチ５０の操作を契機に、カウント手段１５０のカウント値を取得する。
（停止制御抽選テーブル１７０）
停止制御抽選テーブル１７０は、カウント手段１５０がカウント動作を行う範囲内の各カウント値について、第１停止制御手段１３０により停止制御を行うか、又は第２停止制御手段１４０により停止制御を行うかを定めたものである。
【００８４】
また、この停止制御抽選テーブル１７０は、第１停止制御手段１３０により停止制御を行う旨の定めとともに、入賞を引き当て得るように停止制御を行うときの「特定の順序」を定めている。
具体的には、この停止制御抽選テーブル１７０は、図３に示すように、カウント値「０」に対応して、第２停止制御手段１４０により停止制御を行う旨を定め、カウント値「１」に対応して、第１停止制御手段（１３０）により停止制御を行う旨を定めるとともに、特定の順序を「左→中→右」と定め、カウント値「２」に対応して、第１停止制御手段（１３０）により停止制御を行う旨を定めるとともに、特定の順序を「左→右→中」と定め、カウント値「３」に対応して、第１停止制御手段（１３０）により停止制御を行う旨を定めるとともに、特定の順序を「中→左→右」と定め、カウント値「４」に対応して、第１停止制御手段（１３０）により停止制御を行う旨を定めるとともに、特定の順序を「中→右→左」と定め、カウント値「５」に対応して、第１停止制御手段（１３０）により停止制御を行う旨を定めるとともに、特定の順序を「右→左→中」と定め、カウント値「６」に対応して、第１停止制御手段（１３０）により停止制御を行う旨を定めるとともに、特定の順序を「右→中→左」と定めている。
【００８５】
（停止制御抽選手段１８０）
停止制御抽選手段１８０は、カウント取得手段１６０が取得したカウント値と停止制御抽選テーブル１７０とを照合して、第１停止制御手段１３０により停止制御を行うか、又は第２停止制御手段１４０により停止制御を行うかの抽選を行うためのものである。
【００８６】
また、この停止制御抽選手段１８０は、入賞を引き当て得るように停止制御を行うときの「特定の順序」の抽選も行う。
具体的には、例えば、カウント取得手段１６０が取得したカウント値が「０」であれば、この停止制御抽選手段１８０は、カウント値「０」と停止制御抽選テーブル１７０とを照合して、第２停止制御手段１４０により停止制御を行う旨の抽選結果を得る。
【００８７】
また、例えば、カウント取得手段１６０が取得したカウント値が「１」であれば、この停止制御抽選手段１８０は、カウント値「１」と停止制御抽選テーブル１７０とを照合して、第１停止制御手段１３０により停止制御を行う旨の抽選結果と、特定の順序を「左→中→右」とする旨の抽選結果とを得る。
（停止制御選択手段１９０）
停止制御選択手段１９０は、第１停止制御手段１３０により停止制御を行うか、又は第２停止制御手段１４０により停止制御を行うかを、所定の条件に基づいて選択するためのものである。
【００８８】
この停止制御選択手段１９０は、停止制御抽選手段１８０の抽選結果に基づいて、第１停止制御手段１３０により停止制御を行うか、又は第２停止制御手段１４０により停止制御を行うかを選択する。
そして、この停止制御選択手段１９０が第１停止制御手段１３０を選択すると、第１停止制御手段１３０によって各回転リール４０の停止制御が行われ、一方、この停止制御選択手段１９０が第２停止制御手段１４０を選択すると、第２停止制御手段１４０によって各回転リール４０の停止制御が行われる。
【００８９】
（入賞判定手段２００）
入賞判定手段２００は、すべての回転リール４０の回転が停止した際における図柄の停止位置によって、入賞か否かの判定を行うためのものである。
この入賞判定手段２００は、すべての回転リール４０の回転が停止した際に、「７」の図柄が有効な入賞ライン上に３個揃うと、ＢＢ入賞と判定する。
【００９０】
また、この入賞判定手段２００は、すべての回転リール４０の回転が停止した際に、「ＢＡＲ」の図柄が有効な入賞ライン上に３個揃うと、ＲＢ入賞と判定する。
また、この入賞判定手段２００は、すべての回転リール４０の回転が停止した際に、「ベル」の図柄が有効な入賞ライン上に３個揃うと、第１小役入賞（ベル入賞）と判定する。
【００９１】
また、この入賞判定手段２００は、すべての回転リール４０の回転が停止した際に、「スイカ」の図柄が有効な入賞ライン上に３個揃うと、第２小役入賞（スイカ入賞）と判定する。
また、この入賞判定手段２００は、すべての回転リール４０の回転が停止した際に、左側の回転リール４０に表示されている「チェリー」の図柄が有効な入賞ライン上にあると、中央及び右側の回転リール４０に表示されている図柄の停止位置にかかわらず、第３小役入賞（チェリー入賞）と判定する。
【００９２】
また、この入賞判定手段２００は、すべての回転リール４０の回転が停止した際に、「Ｒｅｐｌａｙ」の図柄が有効な入賞ライン上に３個揃うと、Ｒｅｐｌａｙ入賞と判定する。
また、この入賞判定手段２００は、すべての回転リール４０の回転が停止した際に、いずれの図柄についても有効な入賞ライン上に３個揃わず、かつ、左側の回転リール４０に表示されている「チェリー」の図柄が有効な入賞ライン上になければ、入賞なしと判定する。
【００９３】
（カウント表示手段２１０）
カウント表示手段２１０は、カウント手段１５０のカウント値を表示するためのものである。
このカウント表示手段２１０は、カウント手段１５０のカウント値を、液晶ディスプレイ７９に表示する。これにより、液晶ディスプレイ７９には、「０〜６」の数値が１秒周期で繰り返し表示される。
【００９４】
（タイミング報知手段２２０）
タイミング報知手段２２０は、カウント手段１５０のカウント値が第２停止制御手段１４０の選択に係る数値になったときに、その旨を報知するためのものである。
このタイミング報知手段２２０は、カウント値「１〜６」を「緑色」で表示するのに対し、カウント値「０」を「赤色」で表示することにより、カウント値が第２停止制御手段１４０の選択に係る数値になった旨を報知する。
【００９５】
（スロットマシン１０の動作）
以下、図４に示すフローチャート図に基づいて、スロットマシン１０の動作の概略を説明する。
スタートスイッチ５０を操作すると（ステップ１００）、複数の役のいずれかに当選したか又はハズレかの抽選が行われ（ステップ１１０）、第１停止制御手段１３０により停止制御を行うか又は第２停止制御手段１４０により停止制御を行うかの抽選が行われ（ステップ１２０）、３個すべての回転リール４０の回転が開始する（ステップ１３０）。そして、ステップ１４０に進む。
【００９６】
ステップ１４０において、いずれかの役に当選したか否かの判断が行われる。ここで、いずれの役にも当選しなかったと判断されると、ステップ１５０に進む。一方、いずれかの役に当選したと判断されると、ステップ１８０に進む。
ステップ１５０において、ストップスイッチ６０が操作されると、ステップ１６０に進む。
【００９７】
ステップ１６０において、いずれの入賞も引き当てることができないように、回転リール４０の停止制御が行われる。そして、ステップ１７０に進む。
ステップ１７０において、入賞か否かの判定が行われる。そして、入賞した場合には、入賞態様に応じた利益の付与が行われて、１回の遊技が終了する。
ステップ１８０において、ストップスイッチ６０の操作の順序を回転リール４０の停止制御に関与させるか否かの判断が行われる。ここで、ストップスイッチ６０の操作の順序を回転リール４０の停止制御に関与させないと判断されると、ステップ１９０に進む。一方、ストップスイッチ６０の操作の順序を回転リール４０の停止制御に関与させると判断されると、ステップ２１０に進む。
【００９８】
ステップ１９０において、ストップスイッチ６０が操作されると、ステップ２００に進む。
ステップ２００において、当選した役に対応する入賞を引き当て得るように、回転リール４０の停止制御が行われる。そして、ステップ１７０に進む。
ステップ２１０において、ストップスイッチ６０が操作されると、ステップ２２０に進む。
【００９９】
ステップ２２０において、ストップスイッチ６０の操作の順序が特定の順序か否かの判断が行われる。ここで、ストップスイッチ６０の操作の順序が特定の順序ではないと判断されると、ステップ１６０に進む。すなわち、いずれの入賞も引き当てることができないように、回転リール４０の停止制御が行われる。一方、ストップスイッチ６０の操作の順序が特定の順序であると判断されると、ステップ２００に進む。すなわち、当選した役に対応する入賞を引き当て得るように、回転リール４０の停止制御が行われる。
【０１００】
（停止制御の抽選の動作）
以下、図５に示すフローチャート図に基づいて、停止制御の抽選の操作について説明する。
スタートスイッチ５０が操作されると（ステップ３００）、カウント手段１５０のカウント値が取得される（ステップ３１０）。そして、ステップ３２０に進む。
【０１０１】
ステップ３２０において、カウント値が「１」か否かの判断が行われる。ここで、カウント値が「１」ではないと判断されると、ステップ３３０に進む。一方、カウント値が「１」であると判断されると、ステップ３９０に進み、第１停止制御手段１３０により停止制御を行う旨の抽選結果と、特定の順序を「左→中→右」とする旨の抽選結果とが得られる。
【０１０２】
ステップ３３０において、カウント値が「２」か否かの判断が行われる。ここで、カウント値が「２」ではないと判断されると、ステップ３４０に進む。一方、カウント値が「２」であると判断されると、ステップ４００に進み、第１停止制御手段１３０により停止制御を行う旨の抽選結果と、特定の順序を「左→右→中」とする旨の抽選結果とが得られる。
【０１０３】
ステップ３４０において、カウント値が「３」か否かの判断が行われる。ここで、カウント値が「３」ではないと判断されると、ステップ３５０に進む。一方、カウント値が「３」であると判断されると、ステップ４１０に進み、第１停止制御手段１３０により停止制御を行う旨の抽選結果と、特定の順序を「中→左→右」とする旨の抽選結果とが得られる。
【０１０４】
ステップ３５０において、カウント値が「４」か否かの判断が行われる。ここで、カウント値が「４」ではないと判断されると、ステップ３６０に進む。一方、カウント値が「４」であると判断されると、ステップ４２０に進み、第１停止制御手段１３０により停止制御を行う旨の抽選結果と、特定の順序を「中→右→左」とする旨の抽選結果とが得られる。
【０１０５】
ステップ３６０において、カウント値が「５」か否かの判断が行われる。ここで、カウント値が「５」ではないと判断されると、ステップ３７０に進む。一方、カウント値が「５」であると判断されると、ステップ４３０に進み、第１停止制御手段１３０により停止制御を行う旨の抽選結果と、特定の順序を「右→左→中」とする旨の抽選結果とが得られる。
【０１０６】
ステップ３７０において、カウント値が「６」か否かの判断が行われる。ここで、カウント値が「６」ではないと判断されると、ステップ３８０に進み、第２停止制御手段１４０により停止制御を行う旨の抽選結果が得られる。一方、カウント値が「６」であると判断されると、ステップ４４０に進み、第１停止制御手段１３０により停止制御を行う旨の抽選結果と、特定の順序を「右→中→左」とする旨の抽選結果とが得られる。
【０１０７】
このように、本実施の形態に係るスロットマシン１０では、所定の条件によって、ストップスイッチ６０の操作の順序が回転リール４０の停止制御に関与したりしなかったりする。このため、ストップスイッチ６０の操作の順序によって回転リール４０の停止制御が異なるときと、ストップスイッチ６０の操作の順序が異なっても回転リール４０の停止制御が同じように行われるときとが混在することとなり、これにより、今までにない新たな遊技性を遊技者に提供できる。したがって、遊技者の興趣を高めることができるのである。
【０１０８】
また、本実施の形態に係るスロットマシン１０では、役の抽選とは別の抽選によって、ストップスイッチ６０の操作の順序を回転リール４０の停止制御に関与させるか否かの選択が行われる。したがって、遊技が単調にならないのである。
また、本実施の形態に係るスロットマシン１０では、スタートスイッチ５０の操作のタイミングによって、ストップスイッチ６０の操作の順序を回転リール４０の停止制御に関与させるか否かの選択が行われる。したがって、遊技者の興趣を高めることができるのである。
【０１０９】
また、本実施の形態に係るスロットマシン１０では、ストップスイッチ６０の操作の順序が回転リール４０の停止制御に関与する場合には、ストップスイッチ６０を特定の順序で操作したときにしか、当選した役に対応する入賞を引き当てることができないが、ストップスイッチ６０の操作の順序が回転リール４０の停止制御に関与しない場合には、どのような順序でストップスイッチ６０を操作しても、当選した役に対応する入賞を引き当て得ることとなる。したがって、遊技が単調にならないのである。
【０１１０】
また、本実施の形態に係るスロットマシン１０では、停止制御の抽選において、入賞を引き当て得るように停止制御を行うときの「特定の順序」の抽選も同時に行われる。したがって、遊技が単調にならないのである。
また、本実施の形態に係るスロットマシン１０では、停止制御の抽選に用いるカウント値が液晶ディスプレイ７９に表示され、更には、このカウント値が第２停止制御手段１４０の選択に係る数値になったときにその旨が報知される。したがって、停止制御の選択に遊技者の技術を介入させることができるので、遊技者の興趣を高めることができるのである。
【０１１１】
なお、タイミング報知手段２２０は、カウント手段１５０のカウント値が第２停止制御選択手段１４０の選択に係る数値になったときにその旨を報知するのではなく、カウント手段１５０のカウント値が第１停止制御選択手段１３０の選択に係る数値になったときにその旨を報知するようにしてもよい。このようにしても、遊技者は、ストップスイッチ６０の操作の順序が関与しない停止制御が選択されるタイミングを知ることができると同時に、ストップスイッチ６０の操作の順序が関与する停止制御が選択されるタイミングをも知ることができる。したがって、停止制御の選択に遊技者の技術を介入させることができるので、遊技者の興趣を高めることができるのである。
【０１１２】
なお、本実施の形態では、第２停止制御手段１４０は、役抽選手段１１０の抽選結果と、各ストップスイッチ６０が操作されたときの対応する回転リール４０の回転位置との２つの要素を、各回転リール４０の停止制御に関与させるとしたが、第２停止制御手段１４０による各回転リール４０の停止制御には、上記した２つの要素に加えて、例えば、役の抽選とは別の抽選の結果や、あるいは最初に操作されたのが左側のストップスイッチ６０か否かなどの「他の要素」を関与させることもできる。
【０１１３】
具体的には、例えば、第２停止制御手段１４０は、役抽選手段１１０の抽選結果と、各ストップスイッチ６０が操作されたときの対応する回転リール４０の回転位置と、最初に操作されたのが左側のストップスイッチ６０か否かとの３つの要素を、各回転リール４０の停止制御に関与させることができる。そうすると、役抽選手段１１０の抽選結果が同一であり、かつ、各ストップスイッチ６０が操作されたときの対応する回転リール４０の回転位置がそれぞれ同一であっても、左側のストップスイッチ６０が最初に操作された場合と、それ以外の場合とでは、各回転リール４０の停止制御が異なる。ただ、役抽選手段１１０の抽選結果が同一であり、かつ、各ストップスイッチ６０が操作されたときの対応する回転リール４０の回転位置がそれぞれ同一であれば、左側のストップスイッチ６０の操作が最初である限り、ストップスイッチ６０の操作の順序が「左→中→右」でも、「左→右→中」でも、各回転リール４０の停止制御は同じように行われる。また、役抽選手段１１０の抽選結果が同一であり、かつ、各ストップスイッチ６０が操作されたときの対応する回転リール４０の回転位置がそれぞれ同一であれば、左側のストップスイッチ６０の操作が最初でない限り、ストップスイッチ６０の操作の順序が「右→中→左」でも、「右→左→中」でも、「中→左→右」でも、「中→右→左」でも、各回転リール４０の停止制御は同じように行われる。
【０１１４】
【発明の効果】
（請求項１）
以上説明したように、請求項１記載の発明によれば、所定の条件によって、ストップスイッチの操作の順序を回転リールの停止制御に関与させたりさせなかったりするスロットマシンを提供できるのである。
【０１１５】
（請求項２）
また、請求項２記載の発明によれば、請求項１記載の発明の効果に加え、役の抽選とは別の抽選によって、ストップスイッチの操作の順序を回転リールの停止制御に関与させるか否かを選択するスロットマシンを提供できるのである。
（請求項３）
また、請求項３記載の発明によれば、請求項２記載の発明の効果に加え、遊技者が遊技中に行う所定の操作のタイミングによって、ストップスイッチの操作の順序を回転リールの停止制御に関与させるか否かを選択するスロットマシンを提供できるのである。
【０１１６】
（請求項４）
また、請求項４記載の発明によれば、請求項１ないし３記載の発明の効果に加え、ストップスイッチの操作の順序が回転リールの停止制御に関与する場合には、ストップスイッチが特定の順序で操作されたときにのみ、当選した役に対応する入賞を引き当てることができ、ストップスイッチの操作の順序が回転リールの停止制御に関与しない場合には、ストップスイッチの操作の順序にかかわらず、当選した役に対応する入賞を引き当てることができるスロットマシンを提供できるのである。
【０１１７】
（請求項５）
また、請求項５記載の発明によれば、請求項４記載の発明の効果に加え、停止制御の抽選において、入賞を引き当て得るように停止制御を行うときの特定の順序の抽選も同時に行うスロットマシンを提供できるのである。
（請求項６）
また、請求項６記載の発明によれば、請求項２ないし５記載の発明の効果に加え、停止制御の抽選に用いるカウント値を表示するスロットマシンを提供できるのである。
【０１１８】
（請求項７）
更に、請求項７記載の発明によれば、請求項２ないし６記載の発明の効果に加え、ストップスイッチの操作の順序を関与させない停止制御が選択されるタイミングとなったときに、その旨を報知するスロットマシンを提供できるのである。
【図面の簡単な説明】
【図１】本発明の実施の形態に係るスロットマシンのブロック図。
【図２】本発明の実施の形態に係るスロットマシンの正面図。
【図３】本発明の実施の形態に係るスロットマシンの停止制御抽選テーブルを示す概念図。
【図４】本発明の実施の形態に係るスロットマシンの動作を示すフローチャート図。
【図５】本発明の実施の形態に係るスロットマシンにおける停止制御の抽選の動作を示すフローチャート図。
【符号の説明】
１０    スロットマシン              ２０    制御装置
３０    リールユニット              ４０    回転リール
５０    スタートスイッチ            ６０    ストップスイッチ
７０    筐体                        ７１    前扉
７２    図柄表示窓                  ７３    投入スイッチ
７４    ベットスイッチ              ７５    精算スイッチ
７６    ホッパーユニット            ７７    演出用ランプ
７８    スピーカ                    ７９    液晶ディスプレイ
８０    払出口                      ９０    受け皿
１００    遊技制御手段              １１０    役抽選手段
１２０    停止テーブル              １３０    第１停止制御手段
１４０    第２停止制御手段          １５０    カウント手段
１６０    カウント取得手段          １７０    停止制御抽選テーブル
１８０    停止制御抽選手段          １９０    停止制御選択手段
２００    入賞判定手段              ２１０    カウント表示手段
２２０    タイミング報知手段
【図１】
2004209167.tif 000003
【図２】
2004209167.tif 000004
【図３】
2004209167.tif 000005
【図４】
2004209167.tif 000006
【図５】
2004209167.tif 000007